(57)【要約】【課題】ハウジング内における端子金具のがたつきを抑制することができるコネクタおよび端子金具製造方法を提供する。【解決手段】端子金具３が押圧片３４〜３６を有することで、押圧片３４〜３６によってハウジング４の内面を押圧し、ハウジング４内での端子金具３のがたつきを抑制することができる。このとき、押圧片３４〜３６が被覆圧着部３１に形成されていることで、電気接続部３３とハウジング４との間のクリアランスを確保することができる。【選択図】図１
2020198170.tif 000002
【特許請求の範囲】
【請求項１】
電線と、
前記電線の先端に接続される電線接続部、相手方端子と接触する電気接続部、および、前記電線接続部に形成された少なくとも１つの押圧片を有する端子金具と、
前記端子金具を収容するとともに前記押圧片によって内面が押圧されるハウジングと、を備えることを特徴とするコネクタ。
【請求項２】
前記端子金具には、前記電線接続部のうち前記電線の絶縁被覆部に圧着される被覆圧着部と、前記電線接続部のうち前記電線の導体部に圧着される導体圧着部と、前記電気接続部と、がこの順で前記電線の軸方向に並ぶように形成され、
前記押圧片は、前記被覆圧着部における前記電気接続部とは反対側の端縁から突出することを特徴とする請求項１に記載のコネクタ。
【請求項３】
前記端子金具は、前記押圧片として、前記端縁から前記電線の径方向外側に向かって延びるものを有することを特徴とする請求項２に記載のコネクタ。
【請求項４】
前記端子金具は、前記押圧片として、前記端縁から前記電気接続部側に向かうように折り返されたものを有することを特徴とする請求項２又は３に記載のコネクタ。
【請求項５】
前記ハウジングは、四角筒状に延びて前記端子金具を収容する収容部を有し、
前記端子金具は、前記収容部において対向する一対の壁部のそれぞれを押圧する一対の前記押圧片と、他の壁部を押圧する少なくとも１つの前記押圧片と、を有することを特徴とする請求項１〜４のいずれか１項に記載のコネクタ。
【請求項６】
請求項１〜５のいずれか１項に記載のコネクタの端子金具を製造する端子金具製造方法であって、
複数の端子金具部のそれぞれが連結部によってキャリアに連結された連結体において、前記連結部の少なくとも一部が前記端子金具部側に残るように当該連結部を切断することにより、前記連結部によって前記押圧片が形成された前記端子金具を製造することを特徴とする端子金具製造方法。
【発明の詳細な説明】
【技術分野】
【０００１】
本発明は、コネクタおよび端子金具製造方法に関するものである。
【背景技術】
【０００２】
従来、電線に圧着された端子（端子金具）をコネクタハウジング（ハウジング）に収容する際に、端子の係止片がコネクタハウジングの係止部材と係合するように形成されたコネクタが提案されている（例えば、特許文献１参照）。特許文献１に記載されたコネクタでは、係止片を係止部材に係合させることにより、係止部材の変位量に基づき、コネクタ検査具を用いて途中挿入状態が検知可能になっている。
【先行技術文献】
【特許文献】
【０００３】
【特許文献１】特開２００１−１６７８３４号公報
【発明の概要】
【発明が解決しようとする課題】
【０００４】
しかしながら、特許文献１に記載されたようなコネクタでは、例えば車載された場合、走行振動等によってコネクタハウジング内で端子ががたついてしまうことがあった。このコネクタにおける端子と相手方コネクタの端子とを電気的に接続するために、コネクタハウジングと端子における電気接続部との間にクリアランスを形成する必要があり、端子のがたつきを抑制することが困難であった。コネクタハウジング内で端子ががたつくと、端子や電線に負荷が加わって損傷してしまう可能性があった。
【０００５】
本発明の目的は、ハウジング内における端子金具のがたつきを抑制することができるコネクタおよび端子金具製造方法を提供することにある。
【課題を解決するための手段】
【０００６】
本願発明のコネクタは、電線と、前記電線の先端に接続される電線接続部、相手方端子と接触する電気接続部、および、前記電線接続部に形成された少なくとも１つの押圧片を有する端子金具と、前記端子金具を収容するとともに前記押圧片によって内面が押圧されるハウジングと、を備えることを特徴とする。
【発明の効果】
【０００７】
このような本願発明のコネクタによれば、端子金具が押圧片を有することで、押圧片によってハウジングの内面を押圧し、ハウジング内での端子金具のがたつきを抑制することができる。このとき、押圧片が電線接続部に形成されていることで、電気接続部とハウジングとの間のクリアランスを確保することができる。
【図面の簡単な説明】
【０００８】
【図１】本発明の実施形態に係るコネクタを示す斜視図である。
【図２】前記コネクタを示す断面図である。
【図３】前記コネクタを示す断面図である。
【図４】前記コネクタを示す背面図である。
【図５】前記コネクタの端子金具の要部を示す斜視図である。
【図６】前記コネクタの要部を拡大して示す断面図である。
【図７】前記コネクタの要部を拡大して示す断面図である。
【図８】前記コネクタを製造するための連結体を示す平面図である。
【発明を実施するための形態】
【０００９】
以下、本発明の各実施形態を図面に基づいて説明する。本実施形態のコネクタ１は、図１〜４に示すように、電線２と、端子金具３と、ハウジング４と、を備えた雌コネクタであって、相手方の雄コネクタ１００と嵌合可能に構成されている。尚、本実施形態では電線の軸方向をＸ方向とし、Ｘ方向に直交する２方向をＹ方向およびＺ方向とする。
【００１０】
電線２は、導体部２１と、導体部２１の周囲に設けられる絶縁被覆部２２と、を有する。電線２の先端部において絶縁被覆部２２が除去されており、導体部２１が露出している。尚、導体部２１は、銅やアルミニウム等の適宜な金属部材によって形成されていればよく、複数の細線が撚り合わされて構成されていてもよいし、１本の導体によって構成されていてもよい。
【００１１】
端子金具３は、絶縁被覆部２２に圧着される被覆圧着部３１と、導体部２１に圧着される導体圧着部３２と、雄コネクタ１００の端子金具（相手方端子）１０１と接触する電気接続部３３と、３つの押圧片３４〜３６と、を一体に有する。被覆圧着部３１と導体圧着部３２と電気接続部３３とがこの順でＸ方向に沿って並ぶ。被覆圧着部３１と導体圧着部３２とが電線接続部として機能する。
【００１２】
被覆圧着部３１は、図５にも示すように、電線２が載置される基部３１１と、基部３１１の両側に形成された一対の加締め片３１２、３１３と、を有する。加締め片３１２、３１３が被覆部２２の外周面に沿うように変形することで、被覆圧着部３１が電線２に圧着される。このとき、基部３１１も多少変形してもよい。
【００１３】
導体圧着部３２は、導体部２１が載置される基部３２１と、基部３２１の両側に形成された一対の加締め片３２２、３２３と、を有する。加締め片３２２、３２３が導体部２１に食い込むように変形することで、導体圧着部３２が導体部２１に圧着される。このとき、基部３２１も多少変形してもよい。
【００１４】
端子金具３上に電線２を配置し、例えばアンビルとクリンパとによってこれらを挟み込むことにより、一対の加締め片３１２、３１３および一対の加締め片３２２、３２３が加締められ、端子金具３が電線２に接続される。
【００１５】
電気接続部３３は、板部３３１と一対のカール部３３２、３３３とによって構成され、板部３３１と一対のカール部３３２、３３３とによって囲まれた部分にオス端子である端子金具１０１が挿通されて電気的に接続される。
【００１６】
３つの押圧片３４〜３６は、いずれも被覆圧着部３１における電気接続部３３とは反対側の端縁３１４に形成されている。押圧片３４は加締め片３１２に対応する位置に形成され、押圧片３５は加締め片３１３に対応する位置に形成され、押圧片３６は基部３１１に対応する位置に形成されている。被覆圧着部３１が圧着された状態において、一対の押圧片３４、３５の基端部がＺ方向に対向する。
【００１７】
一対の押圧片３４、３５は、電線２の径方向外側に向かいつつ（互いに離れつつ）、電気接続部３３とは反対側に向かって延び、Ｚ方向に対して傾斜している。押圧片３６は、折り返し部３６１を有して電気接続部３３側に向かって延びる。
【００１８】
ハウジング４は、端子金具３を収容する収容部４１を有する。収容部４１は、ＸＹ平面に沿った一対の壁部と、ＺＸ平面に沿った一対の壁部と、を有し、Ｘ方向に沿って延びる四角筒状に形成されている。尚、Ｘ方向から見て、収容部４１はＺ方向を長辺方向とする長方形状に形成されている。収容部４１の外面には、雄コネクタ１００と嵌合するロック部４２が形成され、収容部４１の内面には、端子金具３を係止するランス４３が形成されている。ランス４３は、電気接続部３３が通過することで変形し、電気接続部３３の収容が完了すると復元し、電気接続部３３を係止する。
【００１９】
上記のコネクタ１において、電線２に圧着された端子金具３がハウジング４に収容されると、押圧片３４〜３６が自然状態から変形することにより、図６、７にも示すように復元力によって収容部４１の内面を押圧する。即ち、一対の押圧片３４、３５は、Ｚ方向において互いに近づくように変形することにより、互いに離れるような復元力によってＺ方向において収容部４１の内面を押圧する。また、押圧片３６は、Ｙ方向において基部３１１に近づくように変形することにより、基部３１１から互いに離れるような復元力によってＹ方向において収容部４１の内面を押圧する。また、加締め片３１２、３１３のうちＹ方向において押圧片３６と反対側に位置する部分が収容部４１の内面に押し付けられる。
【００２０】
ここで、端子金具３の製造方法、および、展開状態における端子金具３の形状について図８を参照しつつ説明する。
【００２１】
まず、板金に打ち抜き加工等を施すことにより、連結体２００を製造する。連結体２００は、複数の端子金具部３００のそれぞれが３つの連結部４０１〜４０３によってキャリア５００に連結されたものである。
【００２２】
端子金具部３００は、端子金具３の被覆圧着部３１に対応する第１領域３０１と、導体圧着部３２に対応する第２領域３０２と、電気接続部３３に対応する第３領域３０３と、を有するものである。
【００２３】
連結部４０１〜４０３は、第１領域３０１における第３領域３０３とは反対側における端縁から突出するとともに帯状に形成されている。
【００２４】
このような連結体２００において、連結部４０１〜４０３のうち適宜な箇所を切断することにより、連結部４０１〜４０３の少なくとも一部が端子金具部３００側に残るように、端子金具部３００をキャリア５００から切り離す。図示の例では、連結部４０１〜４０３のうちキャリア５００近傍の部分を切断するものとしているが（一点鎖線が切断線）、例えば連結部４０１〜４０３の中央部を切断してもよいし、連結部４０１〜４０３のうちキャリア５００との境界部分を切断してもよく、形成する押圧片３４〜３６の長さに応じた適宜な位置において切断すればよい。
【００２５】
上記のようにキャリア５００から切り離された端子金具部３００において、連結部４０１〜４０３に折曲加工を施すことにより、押圧片３４〜３６を形成する。このように、連結部４０１〜４０３が残された端子金具部３００によって端子金具３が形成される。
【００２６】
このような本実施形態によれば、以下のような効果がある。即ち、端子金具３が押圧片３４〜３６を有することで、押圧片３４〜３６によってハウジング４の内面を押圧し、ハウジング４内での端子金具３のがたつきを抑制することができる。このとき、押圧片３４〜３６が被覆圧着部３１に形成されていることで、電気接続部３３とハウジング４との間のクリアランスを確保することができる。
【００２７】
また、ハウジング４内での端子金具３のがたつきを抑制することにより、電線２や端子金具３の損傷を抑制することができるとともに、振動音による異音を低減することができる。詳細には、電線２に加わった振動による揺れが、押圧片３４〜３６によって吸収されることにより、この揺れが、導体圧着部３２の加締め片３２２、３２３による導体部２１への圧着部分に伝播することが抑制される。これにより、導体部２１の損傷が抑制されることとなる。
【００２８】
また、端子金具３に押圧片３４〜３６を形成することで、ハウジング４を設計変更する必要がなく、従来形状のハウジングを流用することができる。
【００２９】
また、押圧片３４〜３６が被覆圧着部３１における電気接続部３３とは反対側の端縁３１４から突出していることで、第１領域３０１（被覆圧着部３１）が連結部４０１〜４０３によってキャリア５００に接続された連結体２００において連結部４０１〜４０３を切断することにより、連結部４０１〜４０３を押圧片３４〜３６として利用することができる。
【００３０】
また、端子金具３が、被覆圧着部３１の端縁３１４から電線２の径方向外側に向かって延びる押圧片３４、３５を有することで、端子金具３とハウジング４の内面と間隔が大きい場合であっても、押圧片３４、３５によってハウジング４の内面を押圧しやすい。
【００３１】
また、端子金具３が、被覆圧着部３１の端縁３１４から電気接続部３３側に向かうように折り返された押圧片３６を有することで、折り返し部３６１における弾性を利用することができ、押圧力を容易に調節することができる。
【００３２】
また、端子金具３が、Ｚ方向に対向する一対の押圧片３４、３５と、Ｙ方向の押圧力を付与する押圧片３６と、を有することで、ＹＺ平面内においてハウジング４内での端子金具３のがたつきを抑制することができる。
【００３３】
なお、本発明は、前記実施形態に限定されるものではなく、本発明の目的が達成できる他の構成等を含み、以下に示すような変形等も本発明に含まれる。
【００３４】
例えば、前記実施形態では、端子金具３が、電線２の径方向外側に向かって延びる押圧片３４、３５と、折り返された押圧片３６と、の両方を有するものとしたが、これらのうちいずれか一方のみを有する構成としてもよい。即ち、端子金具が、電線の径方向外側に向かって延びる押圧片のみを有していてもよいし、折り返された押圧片のみを有していてもよい。いずれの形状の押圧片を採用するかは、端子金具およびハウジングの形状や寸法等に応じて適宜に決定すればよい。
【００３５】
また、前記実施形態では、端子金具３が、Ｚ方向に対向する一対の押圧片３４、３５と、Ｙ方向の押圧力を付与する１つの押圧片３６と、の両方を有するものとしたが、押圧片による押圧方向は適宜に設定されればよい。例えば、ＹＺ平面における一方向においてのみ端子金具のがたつきが生じやすい場合には、この方向における押圧力を付与するような押圧片を設ければよい。また、がたつきをさらに抑制するために、Ｙ方向に対向する一対の押圧片と、Ｚ方向に対向する一対の押圧片と、を設ける構成としてもよい。
【００３６】
また、前記実施形態では、端子金具３の被覆圧着部３１に押圧片３４〜３６が形成されるものとしたが、導体圧着部に押圧片を形成してもよい。
【００３７】
また、前記実施形態では、コネクタ１が雌コネクタであるものとしたが、雄コネクタにおいて、ハウジングに収容される端子金具が、電線接続部に形成された少なくとも１つの押圧片を有する構成としてもよい。
【００３８】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想および目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００３９】
１          コネクタ
２          電線
２１        導体部
２２        絶縁被覆部
３          端子金具
３１        被覆圧着部（電線接続部）
３１４      端縁
３２        導体圧着部（電線接続部）
３３        電気接続部
３４〜３６  押圧片
４          ハウジング
４１        収容部
１０１      相手方端子
２００      連結体
３００      端子金具部
４０１〜４０３     連結部
５００      キャリア
【図１】
2020198170.tif 000003
【図２】
2020198170.tif 000004
【図３】
2020198170.tif 000005
【図４】
2020198170.tif 000006
【図５】
2020198170.tif 000007
【図６】
2020198170.tif 000008
【図７】
2020198170.tif 000009
【図８】
2020198170.tif 000010